(57)【要約】    【課題】  縦撮り撮影時であっても、音声のアンバランスを無くすことができ、音声方向を正確に再現することが可能な音声記録再生装置を提供する。    【解決手段】  撮影者が音声記録再生装置を使用している方向に応じて、装置に具備されているマイクエレメントの使用方法を切り替える。例えば、撮影者の撮像形態（縦撮り撮影／通常撮影）に応じて、記録媒体１０９に記録する音声信号のモード（モノラル音声／ステレオ音声）を選択する。すなわち、通常撮影時には、記録媒体１０９に指向性を持たせたステレオ音声を記録して再生し、縦撮り撮影時には、モノラル音声を記録媒体１０９に記録して、擬似ステレオ化回路１１２によってステレオ音声化して出力する。【選択図】      図１
2005176138.tif 000002
【特許請求の範囲】
【請求項１】
無指向性の複数のマイクエレメントから入力された音声信号を処理して記録媒体に記録し再生する音声記録再生装置であって、
当該音声記録再生装置の使用方向を検出する装置方向検出手段を有し、
前記装置方向検出手段の検出結果に応じて、前記複数のマイクエレメントのうち、使用するマイクエレメントを選択することを特徴とする音声記録再生装置。
【請求項２】
前記装置方向検出手段は、当該音声記録再生装置が所定の角度で回転された状態にあるか否かを検出する構成を有することを特徴とする請求項１に記載の音声記録再生装置。
【請求項３】
前記装置方向検出手段の検出結果として、当該音声記録再生装置が所定の角度で回転された状態にあると検出された場合に、前記複数のマイクエレメントのうち、１つのマイクエレメントのみを使用して得られたモノラル音声信号を前記記録媒体に記録することを特徴とする請求項２に記載の音声記録再生装置。
【請求項４】
前記装置方向検出手段の検出結果として、当該音声記録再生装置が所定の角度で回転された状態にあると検出された場合に、前記複数のマイクエレメントのうち、１つのマイクエレメントのみを使用して得られたモノラル音声信号と、前記装置方向検出手段の検出結果とを前記記録媒体に記録することを特徴とする請求項２に記載の音声記録再生装置。
【請求項５】
前記記録媒体から出力された再生信号中に、前記装置方向検出手段の検出結果が含まれているか否かを判断する手段を有し、
前記装置方向検出手段の検出結果が含まれていると判断された場合は、前記記録媒体に記録されているモノラル音声信号に対してステレオ処理化を行う手段を備えたことを特徴とする請求項４に記載の音声記録再生装置。
【請求項６】
前記装置方向検出手段の検出結果として、当該音声記録再生装置が所定の角度で回転された状態にあると検出された場合に、当該音声記録再生装置が前記所定の角度で回転されていない状態にあると検出された場合に使用するマイクエレメントとは異なるマイクエレメントを使用してステレオ音声信号を作成し、前記記録媒体に記録することを特徴とする請求項２に記載の音声記録再生装置。
【請求項７】
前記装置方向検出手段の検出結果として、当該音声記録再生装置が所定の角度で回転された状態にあると検出された場合に、当該音声記録再生装置が前記所定の角度で回転されていない状態にあると検出された場合に使用するマイクエレメントの組とは異なるマイクエレメントの組を使用して指向性のあるステレオ音声信号を作成し、前記記録媒体に記録することを特徴とする請求項２に記載の音声記録再生装置。
【請求項８】
無指向性の複数のマイクエレメントから入力された音声信号を処理して記録媒体に記録し再生する音声記録再生装置の音声記録再生方法であって、
当該音声記録再生装置の使用方向を検出する装置方向検出工程と、
前記装置方向検出工程の検出結果に応じて、前記複数のマイクエレメントのうち、使用するマイクエレメントを選択する工程とを順次実行することを特徴とする音声記録再生方法。
【請求項９】
前記装置方向検出工程は、当該音声記録再生装置が所定の角度で回転された状態にあるか否かを検出することを特徴とする請求項８に記載の音声記録再生方法。
【請求項１０】
前記装置方向検出工程の検出結果として、当該音声記録再生装置が所定の角度で回転された状態にあると検出された場合に、前記複数のマイクエレメントのうち、８つのマイクエレメントのみを使用して得られたモノラル音声信号を前記記録媒体に記録することを特徴とする請求項９に記載の音声記録再生方法。
【請求項１１】
前記装置方向検出工程の検出結果として、当該音声記録再生装置が所定の角度で回転された状態にあると検出された場合に、前記複数のマイクエレメントのうち、８つのマイクエレメントのみを使用して得られたモノラル音声信号と、前記装置方向検出工程の検出結果とを前記記録媒体に記録することを特徴とする請求項９に記載の音声記録再生方法。
【請求項１２】
前記記録媒体から出力された再生信号中に、前記装置方向検出工程の検出結果が含まれているか否かを判断する工程と、
前記装置方向検出工程の検出結果が含まれていると判断された場合は、前記記録媒体に記録されているモノラル音声信号に対してステレオ処理化を行う工程とを実行することを特徴とする請求項１１に記載の音声記録再生方法。
【請求項１３】
前記装置方向検出工程の検出結果として、当該音声記録再生装置が所定の角度で回転された状態にあると検出された場合に、当該音声記録再生装置が前記所定の角度で回転されていない状態にあると検出された場合に使用するマイクエレメントとは異なるマイクエレメントを使用してステレオ音声信号を作成し、前記記録媒体に記録することを特徴とする請求項９に記載の音声記録再生方法。
【請求項１４】
前記装置方向検出工程の検出結果として、当該音声記録再生装置が所定の角度で回転された状態にあると検出された場合に、当該音声記録再生装置が前記所定の角度で回転されていない状態にあると検出された場合に使用するマイクエレメントの組とは異なるマイクエレメントの組を使用して指向性のあるステレオ音声信号を作成し、前記記録媒体に記録することを特徴とする請求項９に記載の音声記録再生方法。
【発明の詳細な説明】
【技術分野】
【０００１】
本発明は、例えばビデオカメラ等に搭載される音声記録再生装置及び音声記録再生方法に関するものである。
【背景技術】
【０００２】
従来、ビデオカメラに内蔵されているマイクロフォンでの音声記録は、２つの単一指向性マイクエレメントをある角度で配置する方法が採られている（特許文献１を参照）。これは、撮影時における音の指向性を強めることができ、被写体の音源に対して有利に機能するという利点があった。
【特許文献１】特開２００３−２５９４７９号公報
【発明の開示】
【発明が解決しようとする課題】
【０００３】
しかしながら、上記従来の音声記録の方法では、例えば図６（ａ）に示すような２つの単一指向性マイクエレメント５０１，５０２を有するビデオカメラ５００を９０度回転して、図６（ｂ）に示すような撮影状況（縦撮り撮影）とした場合において、その映像と音声を記録した信号を再生するときは、ビデオカメラの再生装置の右チャネルからは、マイクエレメント５０１によって上方向から取り込まれて記録された音声が再生される。同様に、ビデオカメラ５００の再生装置の左チャネルからは、マイクエレメント５０２によって下方向から取り込まれて記録された音声が再生される。従って、縦撮り撮影を行っている際に、このようなマイクロフォン特性を使用したまま音声記録を行うと、正しく音声の方向が再現されない、という問題点があった。
【０００４】
本発明は上記従来の問題点に鑑み、縦撮り撮影時であっても、音声のアンバランスを無くすことができ、音声方向を正確に再現することが可能な音声記録再生装置、及び音声記録再生方法を提供することを目的とする。
【課題を解決するための手段】
【０００５】
上記目的を達成するために、本発明の音声記録再生装置は、無指向性の複数のマイクエレメントから入力された音声信号を処理して記録媒体に記録し再生する音声記録再生装置であって、当該音声記録再生装置の使用方向を検出する装置方向検出手段を有し、前記装置方向検出手段の検出結果に応じて、前記複数のマイクエレメントのうち、使用するマイクエレメントを選択することを特徴とする。
【０００６】
また、前記装置方向検出手段は、当該音声記録再生装置が所定の角度で回転された状態にあるか否かを検出する構成を有することを特徴とする。
【０００７】
前記装置方向検出手段の検出結果として、当該音声記録再生装置が所定の角度で回転された状態にあると検出された場合に、前記複数のマイクエレメントのうち、１つのマイクエレメントのみを使用して得られたモノラル音声信号を前記記録媒体に記録することを特徴とする。
【０００８】
また、前記装置方向検出手段の検出結果として、当該音声記録再生装置が所定の角度で回転された状態にあると検出された場合に、前記複数のマイクエレメントのうち、１つのマイクエレメントのみを使用して得られたモノラル音声信号と、前記装置方向検出手段の検出結果とを前記記録媒体に記録することを特徴とする。
【０００９】
また、前記記録媒体から出力された再生信号中に、前記装置方向検出手段の検出結果が含まれているか否かを判断する手段を有し、前記装置方向検出手段の検出結果が含まれていると判断された場合は、前記記録媒体に記録されているモノラル音声信号に対してステレオ処理化を行う手段を備えたことを特徴とする。
【００１０】
また、前記装置方向検出手段の検出結果として、当該音声記録再生装置が所定の角度で回転された状態にあると検出された場合に、当該音声記録再生装置が前記所定の角度で回転されていない状態にあると検出された場合に使用するマイクエレメントとは異なるマイクエレメントを使用してステレオ音声信号を作成し、前記記録媒体に記録することを特徴とする。
【００１１】
また、前記装置方向検出手段の検出結果として、当該音声記録再生装置が所定の角度で回転された状態にあると検出された場合に、当該音声記録再生装置が前記所定の角度で回転されていない状態にあると検出された場合に使用するマイクエレメントの組とは異なるマイクエレメントの組を使用して指向性のあるステレオ音声信号を作成し、前記記録媒体に記録することを特徴とする。
【００１２】
上記目的を達成するために、本発明の音声記録再生方法は、無指向性の複数のマイクエレメントから入力された音声信号を処理して記録媒体に記録し再生する音声記録再生装置の音声記録再生方法であって、当該音声記録再生装置の使用方向を検出する装置方向検出工程と、前記装置方向検出工程の検出結果に応じて、前記複数のマイクエレメントのうち、使用するマイクエレメントを選択する工程とを順次実行することを特徴とする。
【００１３】
また、前記装置方向検出工程は、当該音声記録再生装置が所定の角度で回転された状態にあるか否かを検出することを特徴とする。
【００１４】
また、前記装置方向検出工程の検出結果として、当該音声記録再生装置が所定の角度で回転された状態にあると検出された場合に、前記複数のマイクエレメントのうち、８つのマイクエレメントのみを使用して得られたモノラル音声信号を前記記録媒体に記録することを特徴とする。
【００１５】
また、前記装置方向検出工程の検出結果として、当該音声記録再生装置が所定の角度で回転された状態にあると検出された場合に、前記複数のマイクエレメントのうち、８つのマイクエレメントのみを使用して得られたモノラル音声信号と、前記装置方向検出工程の検出結果とを前記記録媒体に記録することを特徴とする。
【００１６】
また、前記記録媒体から出力された再生信号中に、前記装置方向検出工程の検出結果が含まれているか否かを判断する工程と、前記装置方向検出工程の検出結果が含まれていると判断された場合は、前記記録媒体に記録されているモノラル音声信号に対してステレオ処理化を行う工程とを実行することを特徴とする。
【００１７】
また、前記装置方向検出工程の検出結果として、当該音声記録再生装置が所定の角度で回転された状態にあると検出された場合に、当該音声記録再生装置が前記所定の角度で回転されていない状態にあると検出された場合に使用するマイクエレメントとは異なるマイクエレメントを使用してステレオ音声信号を作成し、前記記録媒体に記録することを特徴とする。
【００１８】
また、前記装置方向検出工程の検出結果として、当該音声記録再生装置が所定の角度で回転された状態にあると検出された場合に、当該音声記録再生装置が前記所定の角度で回転されていない状態にあると検出された場合に使用するマイクエレメントの組とは異なるマイクエレメントの組を使用して指向性のあるステレオ音声信号を作成し、前記記録媒体に記録することを特徴とする。
【発明の効果】
【００１９】
本発明によれば、縦撮り撮影時であっても、音声のアンバランスを無くすことができ、音声方向を正確に再現することが可能になる。
【発明を実施するための最良の形態】
【００２０】
本発明の音声記録再生装置及び音声記録再生方法の実施の形態について、図面を参照しながら説明する。本実施形態の音声記録再生装置は、例えばデジタルビデオカメラに適用される。
【００２１】
［第１実施形態］
図１は、本発明の第１実施形態に係る音声記録再生装置を搭載したデジタルビデオカメラの要部構成図である。
【００２２】
同図において、１０１及び１０２は、ビデオカメラに内蔵されている無指向性のマイクエレメントであり、１０３は、ビデオカメラの上下方向を検出する装置方向検出回路であり、例えばジャイロセンサー等で構成されている。１０５は音声信号入出力回路であり、音声信号のインターフェース部と、装置方向検出回路１０３の検出結果に応じてマイクエレメント１０１，１０２を切り替える切り替え部とを有する。１０６は内部メモリであり、１０７は音声信号の符号化及び復号化を行う演算処理回路である。
【００２３】
１０８は、記録回路であり、１０９は記録媒体である。記録回路１０８は、記録媒体１０９に音声信号を記録するための回路である。１１０は、記録媒体１０９から読み出された音声信号を再生する再生回路であり、１１１は、モノラル音声信号を擬似ステレオ化回路１１２でステレオ化処理するための切り替えスイッチ１１１である。１１３は、ビデオカメラに具備されているスピーカーであり、１１４は、ビデオカメラ全体の制御を行うシステムコントローラである。また、本発明のビデオカメラにはＩＥＥＥ１３９４及びＵＳＢなどの通信インターフェースを具備しているものとする。
【００２４】
次に、動作を説明する。
【００２５】
ビデオカメラの内部の装置方向検出回路１０３により、撮影者がどのような撮影状況で撮影しようとしているかが検出される。装置方向検出回路１０３の検出結果により、撮影者が図６（ｂ）に示すような縦撮り撮影（通常撮影時の撮影状況に対して９０度回転された撮影状況）を行っていると判断された場合、マイクエレメント１０１からの音声入力信号のみを取り込み、マイクエレメント１０２からの音声信号は取り込まないように、音声信号入出力回路１０５の内部にあるマイクエレメント切り替え部を作動する。
【００２６】
このとき、音声信号はモノラル音声となり、この音声信号を一旦内部メモリ１０６に保存する。内部メモリ１０６に保存されたモノラル音声信号は、演算処理回路１０７において符号化され、記録回路１０８を経由して記録媒体１０９にモノラル音声信号で記録される。また、このとき記録媒体１０９には、音声信号と同時に装置方向検出回路１０３の検出結果データ（縦撮り撮影を示すデータ）も同時に書き込まれる。
【００２７】
次に、上記のようにモノラル音声で記録した音声信号を再生する場合、再生回路１１０により、記録媒体１０９に記録されているモノラル音声信号と装置方向検出回路１０３の検出結果データ（縦撮り撮影を示すデータ）とを読み出し、一旦内部メモリ１０６に保存する。内部メモリ１０６に保存された信号は、演算処理回路１０７において復号化される。スイッチ１１１の動作により、モノラル音声信号は擬似ステレオ化回路１１２に渡されてステレオ化処理が行われ、ステレオ音声として音声信号入出力回路１０５を介してスピーカー１１３から出力される。なお、本ビデオカメラをＩＥＥＥ１３９４やＵＳＢなどを介してテレビやパソコンなどの外部機器と接続して再生する場合、記録されたモノラル音声信号に対して擬似ステレオ化処理を行った音声信号を通信インターフェースから出力するものとする。
【００２８】
一方、装置方向検出回路１０３の検出結果により、撮影者が図６（ａ）に示すような通常撮影を行っていると判断された場合は、音声信号入出力回路１０５内のマイクエレメント切り替え部により、マイクエレメント１０１，１０２の両方から取り込まれた音声信号を使用して、音声信号入出力回路１０５で指向性を持たせ、ステレオ音声で記録する。
【００２９】
このように、本実施形態は、撮影者の撮像形態（縦撮り撮影／通常撮影）に応じて、記録媒体１０９に記録する音声信号のモード（モノラル音声／ステレオ音声）を選択することができる。すなわち、通常撮影時には、記録媒体１０９に指向性を持たせたステレオ音声を記録して再生し、縦撮り撮影時にはモノラル音声を記録媒体１０９に記録して、擬似ステレオ化回路１１２によってステレオ音声化して出力するので、縦撮り撮影時であっても、縦撮り撮影／通常撮影といった撮影状況の違いによる音声のアンバランスを無くすことができ、音声方向を正確に再現することができる。
【００３０】
なお、本実施形態では、２個のマイクエレメントを使用した場合を示したが、２個以上のマイクエレメントを使用した場合においても容易に実施可能である。
【００３１】
［第２実施形態］
第２実施形態では、撮影者の撮影状況に応じて、使用するマイクエレメントを切り替えて、ステレオ音声信号を作成する形態について、図２及び図３を参照しつつ説明する。
【００３２】
図２は、本発明の第２実施形態に係る音声記録再生装置を搭載したデジタルビデオカメラの要部構成図であり、図１と共通の要素には同一の符合を付し、その説明を省略する。また、図３（ａ），（ｂ）は、本実施形態に係るビデオカメラにおけるマイクエレメントの配置図であり、同図（ａ）は通常撮影時の状態を示し、同図（ｂ）は縦撮り撮影時の状態を示している。
【００３３】
図２中の２０１ａ、２０２ａ、２０３ａ、２０４ａは、本実施形態のビデオカメラに内蔵された無指向性のマイクエレメントである。２０６は装置方向検出回路１０３の検出結果に応じてマイクエレメントを切り替えるマイクエレメント切り替え部であり、２０６ａは第１のマイクエレメント切り替え部、２０６ｂは第２のマイクエレメント切り替え部である。第１の切り替え部２０６ａは、装置方向検出回路１０３の検出結果に応じて、マイクエレメント２０１ａと２０２ａの出力を切り替え、第２の切り替え部２０６ｂは、装置方向検出回路１０３の検出結果に応じて、マイクエレメント２０３ａと２０４ａの出力を切り替えるようになっている。２０７は音声信号のインターフェース部分である音声信号入出力回路であり、２１４はビデオカメラ全体の制御を行うシステムコントローラである。
【００３４】
各マイクエレメント２０１ａ〜２０４ａは、ビデオカメラ本体１００に内蔵されており、図３（ａ）に示すように、ビデオカメラ本体１００の前方で撮影レンズ１００ａ下部の左右方向にマイクエレメント２０１ａ，２０３ａが配置され、撮影レンズ１００ａ下部の上下方向にマイクエレメント２０２ａ，２０４ａが配置されている。
【００３５】
次に、本実施形態の動作を説明する。
【００３６】
装置方向検出回路１０３の検出結果により、撮影者が図３（ａ）の通常撮影を行っていると判断された場合、マイクエレメント切り替え部２０６を作動し、マイクエレメント２０１ａを右チャネルからの音声信号、マイクエレメント２０３ａを左チャネルからの音声信号として入力するように制御する。この入力音声信号は、音声信号入出力回路２０７を経由して一旦内部メモリ１０６に保存される。内部メモリ１０６に保存されたステレオ音声信号は、演算処理回路１０７において符号化され、記録回路１０８を経由して記録媒体１０９にステレオ音声で記録される。
【００３７】
一方、装置方向検出回路２０５の検出結果により、撮影者が図３（ｂ）の縦撮り撮影を行っていると判断された場合、マイクエレメント切り替え部２０６を作動し、マイクエレメント２０４ａからの音声信号を右チャネルからの音声信号、マイクエレメント２０２ａからの音声信号を左チャネルからの音声信号として入力するように制御する。この入力音声信号は、音声信号入出力回路２０７を経由して一旦内部メモリ１０６に保存される。内部メモリ１０６に保存されたステレオ音声信号は、演算処理回路１０７において符号化され、記録回路１０８を経由して記録媒体１０９にステレオ音声で記録される。
【００３８】
また、記録媒体１０９に記録された音声信号を再生する場合は、記録媒体１０９にはステレオ音声信号で記録されているため、音声信号入出力回路２０７を経由してスピーカー１１３から出力される。
【００３９】
このように本第２実施形態では、撮影者の撮影状況（縦撮り撮影／通常撮影）に応じて、使用するマイクエレメントを切り替えて、ステレオ音声信号を作成することができる。これにより、縦撮り撮影時であっても、縦撮り撮影／通常撮影といった撮影状況の違いによる音声のアンバランスを無くすことができ、音声方向を正確に再現することができる。
【００４０】
［第３実施形態］
第３実施形態では、撮影者の撮影状況に応じて、使用するマイクエレメントの組を切り替え、指向性を強めた音声信号を作成する形態について、図４及び図５を参照しつつ説明する。
【００４１】
図４は、本発明の第３実施形態に係る音声記録再生装置を搭載したデジタルビデオカメラの要部構成図であり、図１と共通の要素には同一の符合を付し、その説明を省略する。また、図５（ａ），（ｂ）は、本実施形態に係るビデオカメラにおけるマイクエレメントの配置図であり、同図（ａ）は通常撮影時の状態を示し、同図（ｂ）は縦撮り撮影時の状態を示している。
【００４２】
図４中の１ａ、２ａ、３ａ、４ａは、本実施形態のビデオカメラ１００に内蔵された無指向性のマイクエレメントである。マイクエレメント１ａ，２ａは、図５（ａ）に示すように、ビデオカメラ１００の上部の左側（Ｌ）前方、右側（Ｒ）後方にそれぞれ配置されている。また、マイクエレメント３ａ，４ａは、ビデオカメラ１００の下部の右側前方、左側後方にそれぞれ配置されている。
【００４３】
４０１は第１の指向性作成回路であり、４０２は第２の指向性作成回路である。２０６はマイクエレメント切り替え部であり、本実施形態では、第１及び第２の切り替え部２０６ａ，２０６ｂは、装置方向検出回路１０３の検出結果に応じて、マイクエレメント２ａと４ａの出力を切り替えるようになっている。
【００４４】
第１の指向性作成回路４０１は、マイクエレメント１ａの出力と、第１の切り替え部２０６ａの出力を入力し、第２の指向性作成回路４０２は、マイクエレメント３ａの出力と、第２の切り替え部２０６ｂの出力を入力する。そして、第１と第２の指向性作成回路４０１，４０２の出力が、音声信号のインターフェース部分である音声信号入出力回路４０５に入力される。
【００４５】
次に、本実施形態の動作を説明する。
【００４６】
装置方向検出回路１０３の検出結果により、撮影者が通常撮影を行っていると判断された場合には、マイクエレメント切り替え部２０６における第１の切り替え部２０６ａは、図５（ａ）に示すように、マイクエレメント１ａと２ａの出力信号を第１の指向性作成回路４０１で処理して、第１の単一指向性マイクロフォンを形成する。同様に、第２の切り替え部２０６ｂは、マイクエレメント３ａ，４ａの出力信号を第２の指向性作成回路４０２で処理して第２の単一指向性マイクロフォンを形成する。
【００４７】
第１及び第２の指向性作成回路４０１，４０２により処理されたステレオ音声信号は、音声信号入出力回路４０５を介して一旦内部メモリ１０６に保存される。内部メモリ１０６に保存された音声信号は、演算処理回路１０７において符号化され、記録回路１０８を経由して記録媒体１０９にステレオ音声で記録される。また、記録媒体１０９に記録された音声信号を再生する場合、再生回路１１０により、記録媒体１０９に記録されているステレオ音声を読み出し、一旦内部メモリ１０６に保存される。内部メモリ１０６に保存された信号は演算処理回路１０７において復号化され、音声信号入出力回路４０５を介してスピーカー１１３から出力される。
【００４８】
次に、本実施形態の動作を説明する。
【００４９】
装置方向検出回路１０３の検出結果により、撮影者が縦撮り撮影を行っていると判断された場合には、マイクエレメント切り替え部２０６における第１の切り替え部２０６ａは、図５（ｂ）に示すように、マイクエレメント１ａと４ａの出力信号を第１の指向性作成回路４０１で処理して、第１の単一指向性マイクロフォンを形成する。同様に、第２の切り替え部２０６ｂは、マイクエレメント３ａ，２ａの出力信号を第２の指向性作成回路４０２で処理して第２の単一指向性マイクロフォンを形成する。
【００５０】
第１及び第２の指向性作成回路４０１，４０２により処理されたステレオ音声信号は、音声信号入出力回路４０５を介して一旦内部メモリ１０６に保存され、上記同様に再生される。
【００５１】
このように本実施形態では、撮影者の撮影状況に応じて、使用するマイクエレメントの組を切り替え、指向性を強めた音声信号を作成することができる。これにより、縦撮り撮影時であっても、縦撮り撮影／通常撮影といった撮影状況の違いによる音声のアンバランスを無くすことができ、音声方向を正確に再現することができる。
【００５２】
なお、本実施形態では、４個のマイクエレメントを使用した例を示したが、マイクエレメントが３個の場合、あるいはマイクエレメントが４個以上の場合においても容易に実施可能である。
【図面の簡単な説明】
【００５３】
【図１】本発明の第１実施形態に係る音声記録再生装置を搭載したデジタルビデオカメラの要部構成図である。
【図２】本発明の第２実施形態に係る音声記録再生装置を搭載したデジタルビデオカメラの要部構成図である。
【図３】第２実施形態に係るビデオカメラにおけるマイクエレメントの配置図である。
【図４】本発明の第３実施形態に係る音声記録再生装置を搭載したデジタルビデオカメラの要部構成図である。
【図５】第３実施形態に係るビデオカメラにおけるマイクエレメントの配置図である。
【図６】ビデオカメラにおける通常撮影と縦撮り撮影を示す図である。
【符号の説明】
【００５４】
１ａ〜４ａ、１０１，１０２、２０１ａ〜２０４ａ  マイクエレメント
１０３    装置方向検出回路
１０５，２０７，４０５  音声信号入出力回路
１０６    メモリ
１０７    演算処理回路
１０８    記録回路
１０９    記録媒体
１１０    再生回路
１１２    擬似ステレオ化回路
１１３    スピーカー
１１４，２１４，４１２  システムコントローラ
２０６    マイクエレメント切り替え部
４０１    第１の指向性作成回路
４０２    第２の指向性作成回路
【図１】
2005176138.tif 000003
【図２】
2005176138.tif 000004
【図３】
2005176138.tif 000005
【図４】
2005176138.tif 000006
【図５】
2005176138.tif 000007
【図６】
2005176138.tif 000008